(57)【特許請求の範囲】
【請求項１】
液透過性の表面シート、液不透過性の裏面シート、及び前記表面シートと前記裏面シートとの間に配置される吸収体を有する吸収性物品と、前記吸収性物品を個別に包装する包装シートと、を備え、
前記包装シート上に前記吸収性物品が配置された状態で、前記吸収性物品の長手方向又は前記吸収性物品の幅方向の一方である第１方向に沿う一対の第１折り目を基点に前記長手方向又は前記幅方向の他方である第２方向の両外側端部が前記第２方向内側に向かって折り畳まれた後、前記第２方向に沿う一対の第２折り目を基点に前記第１方向の両外側端部が前記第１方向内側に向かって折り畳まれることにより、前記吸収性物品が個別に包装される吸収性物品の包装体であって、
前記吸収性物品には、香料又は漢方を備える芳香領域が設けられており、
前記包装シートは、樹脂性のフィルムによって構成されており、
前記第１折り目を基点に折り畳まれた状態で、前記包装シートの前記第２方向の両外側端部が前記吸収性物品の厚み方向で積層され、前記第２折り目を基点に折り畳まれた状態で、前記包装シートの前記第１方向の両外側端部が前記厚み方向で積層されるように構成されており、
前記芳香領域は、前記吸収性物品の前記幅方向中心に位置し、かつ着用者の排泄口に当接する排泄口当接領域を含む中央領域に設けられており、
前記裏面シートの非肌当接側の面には、前記吸収性物品を衣服に貼付するための粘着剤が塗布された粘着領域が設けられており、
前記粘着領域と前記包装シートとの間には、前記粘着領域と離間可能に接する離型シートが設けられており、
前記離型シートは、前記第１折り目よりも前記第２方向内側に位置する内側離型シートと、前記第１折り目よりも前記第２方向外側に位置する外側離型シートと、を備え、
前記外側離型シートは、前記第１折り目を基点に折り畳まれた状態で、前記包装シートと共に折り畳まれ、前記芳香領域を覆うように配置されており、
前記吸収性物品は、前記幅方向における幅が最も狭い最狭部を有し、
前記吸収体の、前記長手方向に沿った縁線は、直線状に延びており、
前記第１折り目と前記第２折り目のうちの前記長手方向に沿った方の折り目は、前記吸収性物品の前記最狭部よりも前記幅方向内側で、かつ前記吸収体よりも前記幅方向外側に配置されており、前記吸収体に沿って形成されていることを特徴とする、吸収性物品の包装体。
【請求項２】
前記包装シートの前記第２方向の外側端部には、前記第１折り目を基点に折り畳まれた状態で、互いに対向して配置された前記包装シート同士接合する接合領域が設けられている、請求項１に記載の吸収性物品の包装体。
【請求項３】
前記包装シートの前記第１方向の外側端部には、前記第１折り目を基点に折り畳まれた状態で、互いに対向して配置された前記包装シート同士接合する接合領域がそれぞれ設けられている、請求項１又は請求項２に記載の吸収性物品の包装体。
【請求項４】
前記中央領域は、前記一対の第１折り目の間に配置されている、請求項１から請求項３のいずれか１項に記載の吸収性物品の包装体。
【請求項５】
前記第１方向は、前記長手方向であり、前記第２方向は、前記幅方向である、請求項１から請求項４のいずれかに記載の吸収性物品の包装体。
【請求項６】
前記吸収性物品は、前記吸収体の前記幅方向両端部から幅方向外側に延出する第１ウイング部及び第２ウイング部を備えており、
前記第１ウイング部及び前記第２ウイング部は、前記裏面シートと、前記裏面シートの肌当接面側に配置される液透過性の不織布シートと、を備え、前記包装シートと共に前記第１折り目を基点に折り畳まれるように構成されており、
前記包装シート、前記第１ウイング部及び前記第２ウイング部は、前記第１折り目を基点に折り畳まれた状態で、前記第１ウイング部と、前記包装シートと、前記第２ウイング部と、前記包装シートとがこの順序で積層されるように構成されている、請求項５に記載の吸収性物品の包装体。
【発明の詳細な説明】
【技術分野】
【０００１】
本発明は、芳香領域が設けられた吸収性物品を包装シートによって包装する吸収性物品の包装体に関する。
【背景技術】
【０００２】
特許文献１には、吸収性物品を衣服に固定するための粘着剤層を有する吸収性物品において、香料を担持するマイクロカプセルを粘着剤層に含有させた吸収性物品が開示されている。この吸収性物品の粘着剤層は、使用前の状態で離型処理が施された離型紙によって覆われており、使用時に離型紙が剥がされることにより露出するように構成されている。粘着剤層が露出することにより、粘着剤に含まれたマイクロカプセルから香料が発散して、体液の不快な臭気を低減できるように構成されている。
【先行技術文献】
【特許文献】
【０００３】
【特許文献１】特表２０００−５０６４２６号公報（図１等）
【発明の概要】
【発明が解決しようとする課題】
【０００４】
しかし、上述の吸収性物品は、以下の問題があった。
粘着剤層は、使用前の状態で離型紙によって覆われている。しかし、離型紙は、粘着剤層の表面に当接しているが、粘着剤層の側面に当接されていない。したがって、使用前の状態において、粘着剤層の側部から香料が放出されるおそれがある。
【０００５】
使用前の状態において香料が放出されると、使用時に香料の効果を十分得ることができないおそれがある。また、使用前の吸収性物品を鞄等に入れた状態において香料が放出されると、鞄内の他の持ち物に臭いが移ってしまうおそれがある。
【０００６】
また、近年、吸収性物品を包装シートによって個別に包装した吸収性物品の包装体が提供されている。このような吸収性物品の包装体によれば、例えば、香料を含有する吸収性物品を包装シートによって包み、香料の劣化を抑制することができる。しかし、吸収性物品の包装体の包装シートは、吸収性物品を個々に持ち運び易いように吸収性物品を包むように構成されており、包装シートに隙間や開口が設けられていることがある。よって、香料を含有する吸収性物品を包装した場合であっても、香料の劣化を十分に低減することができないおそれがある。
【０００７】
そこで、本発明は、上述の課題に鑑みてなされたものであり、使用時に香り成分を放出できる芳香領域を有する吸収性物品の使用前の香り成分の劣化を抑制できる吸収性物品の包装体を提供することを目的とする。
【課題を解決するための手段】
【０００８】
本開示に係る吸収性物品の包装体（吸収性物品の包装体１００）は、液透過性の表面シート（表面シート１０）、液不透過性の裏面シート（裏面シート２０）、及び前記表面シートと前記裏面シートとの間に配置される吸収体（吸収体３０）を有する吸収性物品（吸収性物品１）と、前記吸収性物品を個別に包装する包装シート（包装シート７０）と、を備え、前記包装シート上に前記吸収性物品が配置された状態で、前記吸収性物品の長手方向又は前記吸収性物品の幅方向の一方である第１方向に沿う一対の第１折り目を基点に前記長手方向又は前記幅方向の他方である第２方向の両外側端部が前記第２方向内側に向かって折り畳まれた後、前記第２方向に沿う一対の第２折り目を基点に前記第１方向の両外側端部が前記第１方向内側に向かって折り畳まれることにより、前記吸収性物品が個別に包装される吸収性物品の包装体であって、前記吸収性物品には、香料又は漢方を備える芳香領域（芳香領域８０）が設けられており、前記包装シートは、樹脂性のフィルムによって構成されており、前記第１折り目を基点に折り畳まれた状態で、前記包装シートの前記第２方向の両外側端部が前記吸収性物品の厚み方向で積層され、前記第２折り目を基点に折り畳まれた状態で、前記包装シートの前記第１方向の両外側端部が前記厚み方向で積層されるように構成されていることを要旨とする。
【発明の効果】
【０００９】
本開示に係る吸収性物品によれば、使用時に香り成分を放出できる芳香領域を有する吸収性物品の使用前の香り成分の劣化を抑制できる吸収性物品の包装体を提供することができる。
【図面の簡単な説明】
【００１０】
【図１】第１の実施形態に係る吸収性物品の包装体の肌当接面側から見た平面図である。
【図２】図１に示す吸収性物品の包装体の背面図である。
【図３】図１に示すＡ−Ａ断面の模式断面図である。
【図４】図１に示す吸収性物品の包装体の折り畳み工程を模式的に示した図である。
【図５】図１に示す吸収性物品の包装体の折り畳み工程を模式的に示した図である。
【図６】図５に示すＢ−Ｂ断面の模式断面図である。
【図７】第２の実施形態に係る吸収性物品の包装体の肌当接面側から見た平面図である。
【図８】図７に示す吸収性物品の包装体の折り畳み工程を模式的に示した図である。
【発明を実施するための形態】
【００１１】
（第１の実施形態）
図１から図６を参照して、第１の実施形態に係る吸収性物品の包装体について説明する。図１は、吸収性物品の包装体の肌当接面側から見た平面図であり、図２は、吸収性物品の包装体の背面図である。図３は、図１に示すＡ−Ａ断面の模式断面図である。吸収性物品の包装体１００は、吸収性物品１と、この吸収性物品１を包装する包装シート７０と、を有する。本実施形態に係る吸収性物品１は、例えば、生理用ナプキンである。
【００１２】
吸収性物品の包装体１００は、包装シート７０上に吸収性物品１が配置された状態で包装シート７０と吸収性物品１とが折り畳まれることにより、吸収性物品１が個別に包装される。図１及び図２は、包装シート７０によって吸収性物品１を個別に包装した後、吸収性物品１を開いた状態を示している。この吸収性物品１の包装態様については、後述にて詳細に説明する。
【００１３】
吸収性物品１は、液体を透過する液透過性の表面シート１０、液体を透過しない液不透過性の裏面シート２０、及び吸収体３０を有する吸収性本体１Ａと、吸収性本体１Ａよりも幅方向外側に延出するフラップ部１Ｂと、を有する。吸収性本体１Ａは、表面シート１０、裏面シート２０及び吸収体３０が積層された部分であり、フラップ部１Ｂは、吸収体３０よりも幅方向外側の部分である。
【００１４】
吸収体３０は、表面シート１０と裏面シート２０との間に配設される。従って、吸収体３０は、図１において破線で示される。吸収体３０は、吸収性物品１の長手方向Ｌ及び幅方向Ｗにおける中央部分に配設される。
【００１５】
フラップ部１Ｂは、着用者の排泄口に当接する排泄口当接領域の幅方向外側に配置されたウイングフラップ部４３と、ウイングフラップ部４３よりも後方に配置されたヒップフラップ部４４と、を備える。更に、吸収性物品１は、幅方向Ｗにおいて吸収体３０の外側に設けられるサイドシート４１を備える。
【００１６】
なお、排泄口当接領域は、吸収性物品１において着用者の膣口に当接する領域であり、例えば、着用者の下着に吸収性物品１が着用される際に、下着の２つの足回り開口の間に配置される領域である。また、排泄口当接領域の中心とは、着用者の排泄口が当接する領域の長手方向及び幅方向の中心である。例えば、ウイングフラップ部を有する吸収性物品においては、ウイングフラップ部の長手方向の中心が、排泄口当接領域の長手方向の中心となる。また、ウイングフラップ部を有しない吸収性物品においては、吸収体の幅方向の長さ寸法が最も短い位置が、排泄口当接領域の長手方向の中心となる。
【００１７】
表面シート１０は、体液等の液体を透過する液透過性のシートである。表面シート１０は、少なくとも吸収体３０の表面を覆う。表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１８】
表面シート１０上の液伝いを抑制するために、表面シート１０の肌当接側の面に凹凸加工を施してもよいし、不織布からなる表面シート１０の成形時にエアーを当てることによって、不織布に目付のむらを形成してもよい。また、表面シート１０と吸収体３０との間に、表面シート１０側から吸収体３０側へ体液を引き込むためのセカンドシートを設けてもよい。
【００１９】
裏面シート２０は、表面シート１０の長さと略同一の長さを有する。裏面シート２０は、ポリエチレン、ポリプロピレン等を主体としたフィルム、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。本実施の形態の裏面シート２０は、液不透過性のポリエチレンのフィルムによって構成されている。
【００２０】
吸収体３０は、テッシュ又は不織布からなる吸収シート３１と、吸収シート３１よりも肌当接側に配置され、パルプが積層された吸収コア３２と、を含む。吸収コア３２は、吸収シート３１の肌当接側の面に当接した下側吸収コア３２Ａと、下側吸収コア３２Ａよりも肌当接側の面に当接した上側吸収コア３２Ｂと、を有する。
【００２１】
吸収シートは、テッシュ又は不織布によって形成することができる。吸収シートを構成する不織布としては、熱可塑性繊維からなる不織布であって、親水性処理を施した不織布や、親水性繊維からなる不織布を用いることができる。また、吸収シートを構成する不織布として、親水性繊維又は粉体をエアレイド法によってシート状に成形したエアレイドシートを用いることも可能となる。
【００２２】
吸収コア３２は、吸収シート３１よりも長手方向Ｌ及び幅方向Ｗにおいて小さい。また、上側吸収コア３２Ｂは、下側吸収コア３２Ａよりも長手方向Ｌ及び幅方向Ｗにおいて小さい。上側吸収コア３２Ｂは、下側吸収コア３２Ａよりも吸収材料の目付が高く構成されており、排泄口当接領域を含む中央領域に配置されている。上側吸収コア３２Ｂは、図１に示す平面視において、表面シート１０と吸収体３０とが厚み方向に圧縮された圧搾部２２によって囲まれた領域に設けられている。なお、本実施の形態では、上側吸収コア３２Ｂと下側吸収コア３２Ａとが一体化されている。
【００２３】
上側吸収コア３２Ｂと下側吸収コア３２Ａは、別個に構成されていてもよいし、一体化されていてもよい。本実施の形態に係る吸収コア３２は、上側吸収コア３２Ｂと下側吸収コア３２Ａとが一体化して形成されている。吸収シート３１と吸収コア３２とが別体によって構成される場合には、ホットメルト型接着剤等の接着剤によって貼り合わされていてもよい。
【００２４】
吸収体３０の吸収シート３１には、芳香領域８０が設けられている。芳香領域８０は、液体の香料を含むオイルが塗布された領域である。なお、芳香領域８０は、平面視において、上側吸収コア３２Ｂが配置された中央領域の一部に配置されている。図１において、芳香領域に斜線を付して示す。中央領域は、上側吸収コア３２Ｂが配置された領域であり、平面視において圧搾部２２によって囲まれた領域である。
【００２５】
なお、香料は、上記構成に限られず、種々の物質を用いることができる。例えば、香料は、合成した化合物又は天然物(植物など)から抽出したアロマオイルであってもよく、アロマオイル単体を塗工してもよいし、アロマオイルをホットメルト型接着剤に混入して塗工してもよい。
【００２６】
また、香料は、吸収性物品１の着用者がリラックスまたは新鮮な感覚を得ることができるものが好ましい。具体的には、例えば、（a）Hexyl Cinnamic Aldehyde、（b）Lilial、（c）Linalool、（d）Dipropylene Glycol（溶媒）を上位４成分とする化学物質を香料として用いることができる。或いは、（a）Linalool、（b）Methyl dehydrojasmonate（デヒドロジャスモン酸メチル）、（c）Benzyl Acetate、（d）Dipropylene Glycol（溶媒）を上位４成分とする化学物質を香料として用いることができる。また、当該化学物質にエッセンシャルオイル（例えば、ペパーミントやレモン）を配合してもよい。
【００２７】
排泄口当接領域は、着用者に密着する領域である。この排泄口当接領域を含む中央領域に芳香領域８０を設けることにより、香りや漢方の成分を着用者に付与しやすくなる。また、排泄口当接領域は、最も体液が排出される領域である。中央領域に芳香領域８０を設けることにより、香り成分によって体液のにおいを低減し、装着感を向上させることができる。
【００２８】
なお、本実施の形態では、芳香領域８０は、吸収シート３１に設けられているが、上側吸収コア３２Ｂに設けられていてもよいし、下側吸収コア３２Ａに設けられていてもよいし、吸収体３０以外の表面シート１０、セカンドシート、サイドシート４１等に設けられていてもよい。ただし、香料が着用者の肌に直接付着することを防止するために、表面シートの肌当接側の面以外の面又はサイドシートの肌当接側の面以外に設けられていることが望ましい。
【００２９】
また、香料は、固形であってもよい。具体的には、例えば、植物などの天然物を粉砕又は乾燥した粉を香料として用いることができる。固形の香料の場合には、吸収性物品１を構成する各構成部材（表面シート、吸収体、サイドシート等）の間に設けられていてもよいし、吸収体３０内に設けられていてもよい。しかし、固形の香料の硬さを着用者に感じさせないように、吸収体内に香料を配置することが望ましい。
【００３０】
更に、固形の香料はホットメルト型接着剤等の接着剤によって、吸収性物品の構成部材に固定されてもよいし、吸収体等の高密度材料に混合されることによって、吸収性物品の構成部材に固定されてもよい。なお、吸収体等に固定の香料を混合する場合には、混合した後、エンボス加工等の圧縮加工を施すことが望ましい。
【００３１】
表面シート１０、吸収体３０、裏面シート２０は、それぞれの層間分離を防止するためにも接合されていることが好ましい。これらの接合は、エンボス加工、超音波、ホットメルト型接着剤等を単独もしくは組み合わせて使用することが可能である。また、着用時における吸収体の型崩れやヨレを防止したり、吸収体の厚みを調整したりするために、吸収体にエンボス加工を施してもよい。
【００３２】
サイドシート４１は、表面シート１０の両側に配設される。サイドシート４１は、表面シート１０と同様の材料から選ぶことができる。但し、サイドシート４１を乗り越えて吸収性物品１外方へ経血が流れることを防止するためには、疎水性又は撥水性を有することが好ましい。具体的には、スパンボンド不織布やＳＭＳ不織布などが挙げられ、特に、こすれによる肌への刺激を低減するためにはエアースルー不織布が好ましい。
【００３３】
サイドシート４１は、吸収体３０の側縁の一部及びフラップ部１Ｂを覆う。サイドシート４１の幅方向における内側端部４１Ｅは、後述する第１長手折り目ＦＬ１及び第２長手折り目ＦＬ２よりも幅方向外側において、第１長手折り目ＦＬ１及び第２長手折り目ＦＬ２に隣接して配置されている。
【００３４】
吸収性物品１では、表面シート１０、サイドシート４１及び裏面シート２０の周縁が接合されて、吸収体３０が内封される。表面シート１０と裏面シート２０との接合方法としては、ヒートエンボス加工、超音波、又はホットメルト型接着剤のいずれか一つ、又は複数を組み合わせることが可能である。
【００３５】
裏面シート２０において下着と接触する表面には、粘着剤が塗布された粘着領域が複数設けられている。粘着領域は、吸収性本体１Ａの非肌当接側の面に設けられた本体粘着領域５１（図３参照）と、フラップ部１Ｂの非肌当接側の面に設けられたフラップ粘着領域５２（図３参照）と、を有する。なお、本実施の形態に係るフラップ粘着領域５２は、ウイングフラップ部４３のみに設けられているが、ヒップフラップ部４４に設けられていてもよい。
【００３６】
使用前の状態では、本体粘着領域５１は、離型シートとしての本体シート６１によって覆われ、フラップ粘着領域５２は、離型シートとしてのフラップシート６２によって覆われている。本体シート６１及びフラップシート６２によって、使用前に接着剤が劣化するのを防止している。
【００３７】
本体シート６１は、本体粘着領域５１と包装シート７０との間に配置されている。本体シート６１の本体粘着領域５１側の面には、離型処理が施されており、本体粘着領域５１と離間可能に構成されている。フラップシート６２のフラップ粘着領域５２側の面には、離型処理が施されており、フラップ粘着領域５２と離間可能に構成されている。
【００３８】
本体シート６１及びフラップシート６２は、それぞれ、接着剤を介して包装シート７０に接着されている。包装シート７０の本体シート及びフラップシート側の面には、本体シート６１を接着する接着剤が塗布された本体接着領域６５と、フラップシート６２を接着する接着剤が塗布されたフラップ接着領域６６と、がそれぞれ複数設けられている。
【００３９】
なお、本体シート６１は、後述する第１長手折り目ＦＬ１及び第２長手折り目ＦＬ２よりも幅方向内側に配置されており、内側離型シートとして機能し、フラップシート６２は、第１長手折り目ＦＬ１及び第２長手折り目ＦＬ２よりも幅方向外側に配置されており、外側離型シートとして機能する。
【００４０】
本体接着領域６５は、長手方向に延びる筋状であり、本体粘着領域５１よりも短い幅で、本体粘着領域５１よりも多数並んで配置されている。また、フラップ接着領域６６は、フラップ粘着領域５２よりも短い幅で、フラップ粘着領域５２よりも多数並んで配置されている。
【００４１】
包装シート７０は、吸収性物品１を個別に包装する。包装シート７０は、吸収性物品１の裏面シート２０側において吸収性物品１と対向する対向面７１と、吸収性物品１を収容した状態で外側に位置する非対向面７２と、を有する。
【００４２】
なお、包装シート７０は、質感向上等の目的のために包装シート７０の表面に丸点エンボスや梨地エンボスのような表面加工が施されていてもよい。包装シート７０の材質としては、例えば、ポリエチレンやポリプロピレン、ポリエステル等のプラスチックフィルムやナイロンフィルムなどの各種フィルム、不織布をラミネートさせたフィルム等が挙げられる。
【００４３】
本体シート６１及びフラップシート６２は、包装シート７０に接着されているため、包装シート７０から吸収性物品１を離間させると、包装シート７０と吸収性物品１から離間し、本体粘着領域５１及びフラップ粘着領域５２が露出する。
【００４４】
なお、粘着剤及び接着剤は、例えば、ホットメルト型接着剤を用いることができる。また、本体シート及びフラップシートは、粘着剤の粘着力を低下させることなく剥離可能にする処理離型処理が施された紙，フィルム，不織布によって構成することができる。例えば、ポリエチレンテレフタレート又はポリプロピレンフィルムにシリコーン樹脂塗工したシートや、紙にシリコーン樹脂塗工したポリエチレンフィルムをラミネートしたシートを、本体シート６１及びフラップシート６２として用いることができる。
【００４５】
このように構成された吸収性物品１及び包装シート７０は、幅方向Ｗ及び長手方向Ｌに沿った所定の折り位置において、吸収性物品１の表面シート１０を内側にして折り畳まれる。吸収性物品１が折り畳まれた状態で、包装シート７０の長手方向Ｌにおける一方の端部が包装シート７０に貼着される。包装シート７０の端部は、粘着テープ７５によって包装シート７０の一部と貼着される。
【００４６】
なお、吸収性物品等の硬さは、例えば、ＪＩＳ-１０９６に規定されているガーレー法を用いて測定することができる。また、吸収体の目付及び密度は、例えば、以下の測定方法によって測定することができる。包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及び裏面シート等、吸収体以外の部分を取り除き、吸収体の重量を測定する。吸収体の重量と、目付及び密度を測定する部分の面積とに基づいて目付を算出する。目付及び厚みに基づいて、密度を算出する。
【００４７】
なお、厚みは、以下のような測定方法によって測定することができる。具体的には、サンプルの吸収性物品を、液体窒素に含浸させて凍結させた後、剃刀でカットし、常温に戻した後、電子顕微鏡（例えば、キーエンス社ＶＥ７８００）を用いて、５０倍の倍率で測定する。ここで、サンプルの吸収性物品を凍結させる理由は、カット時の圧縮により厚みが変動するのを防ぐためである。
【００４８】
次に、このように構成された吸収性物品１の製造方法の一部について説明する。なお、説明しない方法については、既存の方法を用いることができる。吸収性物品の製造方法は、第１ステップとして、表面シート生成工程を行う。具体的には、表面シートとサイドシート４１とを、例えば熱溶着によって接着する。
【００４９】
次いで、第２ステップとして、吸収シート成形工程を行う。具体的には、吸収シートを成形し、アロマオイルを塗布して芳香領域８０を形成する。
【００５０】
第３ステップとして、吸収体成型工程を行う。具体的には、成型ドラムによって吸収体の材料となるパルプを成型して吸収コア３２を成型する。なお、第１ステップから第３ステップの製造工程は、異なる順序であってもよい。
【００５１】
第４ステップにおいて、接合工程を行う。具体的には、第１ステップにおいて接合した表面シート及びサイドシートと、第２ステップにおいて成型した吸収シート３１と、第３ステップにおいて成型した吸収コア３２と、を接合する接合工程を行う。
【００５２】
第５ステップにおいて、圧搾工程を行う。具体的には、吸収体３０と表面シート１０とを厚み方向に圧縮し、圧搾部２２を形成する。
【００５３】
第６ステップにおいて、裏面シート接合工程を行う。具体的には、圧搾部を形成した吸収体及び表面シート等と、裏面シートとを接合する。裏面シートを接合した後、接着剤を塗布する工程を備える。上記の工程により、本実施の形態に係る吸収性物品を製造することができる。
【００５４】
次いで、図４及び図５に基づいて、吸収性物品の包装体１００の折り畳み方法を説明する。図４は、吸収性物品の包装体１００の折り畳み工程を模式的に示した図である。図５は、吸収性物品の包装体の折り畳み態様を模式的に示す斜視図である。また、図６は、図５に示すＢ−Ｂ断面の断面図である。吸収性物品の包装体１００の折り畳み工程は、吸収性物品載置工程と、第１折り工程と、第２折り工程と、切断工程と、第３折り工程と、第４折り工程と、テープ貼付工程と、を有する。
【００５５】
第１の実施形態に係る吸収性物品の包装体１００は、第１方向は、長手方向Ｌであり、第２方向は、幅方向Ｗである。よって、長手方向に沿う第１長手折り目及び第２長手折り目を基点に折り畳まれた後、幅方向に沿う第１幅折り目及び第２幅折り目を基点に折り畳まれるように構成されている。
【００５６】
吸収性物品載置工程Ｓ１０１では、包装シート７０上に、吸収性物品１、本体シート６１及びフラップシート６２が配置される。なお、１個の吸収性物品１を個別に包装する寸法の包装シート７０上に吸収性物品１を配置してもよいし、例えば、搬送方向に沿って連続する包装シート上に、所定間隔を空けて複数の吸収性物品を配置するように構成してもよい。
【００５７】
第１折り工程Ｓ１０２では、包装シート７０と吸収性物品１とが、幅方向における吸収性物品１の一方の端部側を含む端部領域側から、長手方向Ｌに沿った第１長手折り目ＦＬ１（図１参照）を基点に内側に折り返される。図５（ａ）は、第１折り工程によって折り畳まれた状態の吸収性物品の包装体を示している。
【００５８】
第２折り工程Ｓ１０３では、包装シート７０と吸収性物品１とが、幅方向Ｗにおける吸収性物品１の他方の端部側を含む端部領域側から、長手方向Ｌに沿った第２長手折り目ＦＬ２（図１参照）を基点に内側に折り返される。図５（ｂ）は、第２折り工程によって折り畳まれた状態の吸収性物品の包装体を示している。
【００５９】
次いで、切断工程Ｓ１０４では、第２長手折り目ＦＬ２を基点に折り返された吸収性物品１及び包装シート７０の連続体が、幅方向に沿った切断線に沿って切断される。包装シート７０及び吸収性物品１は、切断されることによって、個々の製品長となる。
【００６０】
また、図５（ｂ）に示す状態で、包装シートの幅方向外側端部７０ｂは、対向して配置された包装シート７０非対向面にホットメルト型接着剤を介して接合されている。この接合領域は、後述する第１接合領域９１である。また、包装シート７０の長手方向外側端部７０ｃ及び７０ｄは、対向して配置された包装シート７０同士が熱溶着によって接合されている。この接合領域は、後述する第２接合領域９２である。
【００６１】
第３折り工程Ｓ１０５では、包装シート７０と吸収性物品１とが、幅方向Ｗに沿った第１幅折り目ＦＷ１を基点に折り返される。第３折り工程Ｓ１０５は、搬送される吸収性物品１及び包装シート７０が、折り畳みプレートＰによって上方から押圧されることによって折り畳まれる。
【００６２】
第４折り工程Ｓ１０６では、包装シート７０と吸収性物品１とが、幅方向Ｗに沿った第２幅折り目ＦＷ２を基点に折り返される。
【００６３】
テープ貼付工程Ｓ１０７では、粘着テープ７５によって包装シートの長手方向の前端部が、包装シートの表面に貼付される。図５（ｃ）は、粘着テープ７５が貼付された状態の吸収性物品の包装体を示している。粘着テープ７５は、一端が包装シートの長手方向の前端部に接合され、他端が第２幅折り目ＦＷ２を基点として折り返された状態で包装シートの表面に剥離可能に貼付される。
【００６４】
このような折り畳み方法によれば、吸収性物品１を包装シート７０によってコンパクトに包装することができる。具体的には、吸収性物品及び包装シートの平面面積を広げた場合と比べて約１／９にすることができるため、吸収性物品をコンパクトにすることができる。吸収性物品１を小型化することにより、小物入れ、ポシェット等のバッグに収納する場合、バッグの収納スペースを大きく占有する事がなく、簡便な携帯を可能とする。また、吸収性物品１をコンパクトに包装することにより、使用時にトイレ等に携帯する際に、折り返さない状態でも手の中に配置し、他人から見えないように保持する事が可能となる。
【００６５】
また、吸収性物品の包装体１００は、第１長手折り目ＦＬ１及び第２長手折り目ＦＬ２を基点に折り畳まれた状態で、包装シート７０の幅方向外側端部７０ａ及び７０ｂが吸収性物品１の厚み方向Ｔで積層されている。また、吸収性物品の包装体１００は、第１幅折り目及び第２幅折り目を基点に折り畳まれた状態で、包装シート７０の長手方向外側端部７０ｃ及び７０ｄが厚み方向で積層されるように構成されている。
【００６６】
第１長手折り目ＦＬ１及び第２長手折り目ＦＬ２に沿って折り畳まれた状態で包装シート７０の幅方向外側端部７０ａ、７０ｂ同士が積層されるため、包装シート７０の幅方向外側端部７０ａ及び７０ｂによって、吸収性物品１の周囲を覆うことができる。よって、内部に収容した吸収性物品を密封状態に維持し易くなり、吸収性物品の包装体の外部に香りが漏れて周囲に香りが移ったり、香りの効力が低減したりする不具合を抑制できる。
【００６７】
また、包装シート７０の幅方向外側端部のうち、第２長手折り目側の幅方向外側端部７０ｂには、第２長手折り目を基点に折り畳まれた状態で、対向して配置される包装シート７０の非対向面７２と、第２長手折り目側の幅方向外側端部７０ｂと、を接合する第１接合領域９１（図５参照）が設けられている。第１接合領域９１は、例えば、ホットメルト型接着剤が塗布された領域である。
【００６８】
包装シート７０の幅方向外側端部７０ｂを第１接合領域９１によって接合することにより、より密封性を高めることができ、芳香領域８０の香りを内部に封入することができる。
【００６９】
なお、第１接合領域９１は、熱溶着や超音波溶着等、他の接合方法によって接合されていてもよい。また、第１接合領域９１は、必ずしも設けられていなくてもよい。
【００７０】
また、包装シート７０の長手方向外側端部７０ｃ及び７０ｄには、第１長手折り目ＦＬ１及び第２長手折り目ＦＬ２を基点に折り畳まれた状態で、対向して配置された包装シート７０同士を接合するための第２接合領域９２が設けられている。第２接合領域９２は、例えば、熱溶着によって接着された領域である。
【００７１】
包装シート７０の長手方向外側端部７０ｃ及び７０ｄが開封していると、幅折り目を基点に折り返す際に、包装シートの長手方向外側端部７０ｃ及び７０ｄから芳香成分が流出してしまうおそれがある。しかし、包装シート７０の長手方向外側端部７０ｃ及び７０ｄを第２接合領域９２によって接合することにより、より密封性を高めることができ、芳香領域８０の香りを内部に封入することができる。
【００７２】
なお、第２接合領域９２は、接着剤による接合等、他の接合方法によって接合されていてもよい。また、第２接合領域９２は、必ずしも設けられていなくてもよく、例えば、包装シートの長手方向外側端部７０ｃ及び７０ｄのうち、一方であってもよい。好適には、包装シートの長手方向外側端部７０ｃ及び７０ｄのうち、後から折り畳まれる長手方向外側端部（本実施の形態では、前方に位置する長手方向外側端部７０ｄ）に第２接合領域９２が設けられていることが望ましい。
【００７３】
また、芳香領域８０は、第１長手折り目ＦＬ１と第２長手折り目ＦＬ２との間に設けられている。よって、包装シート７０及び吸収性物品１が、第１長手折り目ＦＬ１及び第２長手折り目ＦＬ２を基点に折り畳まれた状態で、第１長手折り目ＦＬ１よりも幅方向外側の包装シート７０及び吸収性物品１と、第２長手折り目ＦＬ２よりも幅方向外側の包装シート７０及び吸収性物品１と、によって芳香領域８０を覆うことができる。
【００７４】
また、第１長手折り目ＦＬ１及び第２長手折り目ＦＬ２は、吸収体３０の吸収コア３２よりも幅方向外側に配置され、吸収コア３２と重なっていない。例えば、第１長手折り目ＦＬ１及び第２長手折り目ＦＬ２が、吸収コア３２に重なって配置されていると、第１長手折り目ＦＬ１及び第２長手折り目ＦＬ２が形成される部分が厚くなり、第１長手折り目ＦＬ１及び第２長手折り目ＦＬ２を基点に折り畳まれた状態で隙間が形成され易くなる。しかし、第１長手折り目ＦＬ１及び第２長手折り目ＦＬ２が吸収性物品のうち、比較的厚みが薄い部分に形成されているため、折り畳んだ際の隙間を小さくし、密封性を高めることができる。
【００７５】
なお、本実施の形態の芳香領域８０は、幅方向Ｗにおいて第１長手折り目ＦＬ１と第２長手折り目ＦＬ２との間であって、長手方向Ｌにおいて第１幅折り目ＦＷ１と第２幅折り目ＦＷ２との間に配置されているが、この構成に限られず、幅方向Ｗにおいて第１長手折り目ＦＬ１と第２長手折り目ＦＬ２との間であって、長手方向Ｌにおいて第１幅折り目ＦＷ１及び第２幅折り目ＦＷ２よりも長手方向外側に延出していてもよい。
【００７６】
また、芳香領域８０は、第１長手折り目ＦＬ１及び第２長手折り目ＦＬ２を基点にフラップシート６２によって覆われるように構成されている。また、芳香領域８０の裏面シート側には、本体シート６１が配置されており、芳香領域８０は、厚み方向Ｔにおいて本体シート６１とフラップシート６２とによって挟まれる。
【００７７】
一般的に、離型シートとしての本体シート６１及びフラップシート６２には、シリコーンによる離型処理が施されている。シリコーンは、気密性が高く、香料成分の拡散を抑制できる。よって、第１長手折り目ＦＬ１及び第２長手折り目ＦＬ２を基点に折り畳まれた状態で、本体シート６１とフラップシート６２によって芳香領域８０を挟んで覆うことにより、効果的に芳香領域の成分劣化を抑制できる。
【００７８】
なお、第１長手折り目ＦＬ１及び第２長手折り目ＦＬ２は、本体シート６１及びフラップシート６２に重ならないように配置されていることが望ましい。芳香成分の劣化を抑制するとう観点では、包装シート７０に対し離型シートの面積率は高い方が好ましい。しかし、離型シートは、包装シート７０等と比べて剛性が高く、第１長手折り目ＦＬ１及び第２長手折り目ＦＬ２が形成されないことが望ましい。比較的剛性が高い部材に折り目が形成されると、折り目を基点に折り畳まれた状態で包装シート７０が密着し難くなる。包装シート７０が密着しないと、個包装内に隙間ができ易くなり、香りの流出に繋がるためである。
【００７９】
よって、包装シート７０及び吸収性物品１を折り畳んだ状態の隙間を少なくするために、第１長手折り目ＦＬ１及び第２長手折り目ＦＬ２が形成される部分の厚みは、薄い方が好ましく、具体的には、１ｍｍ以下であることが望ましい。
【００８０】
また、ウイングフラップ部４３は、吸収体を挟んで左右に配置された第１ウイング部４３Ａと第２ウイング部４３Ｂを有する。包装シート７０、第１ウイング部４３Ａ及び第２ウイング部４３Ｂは、第１長手折り目ＦＬ１及び第２長手折り目ＦＬ２を基点に折り畳まれた状態で、第１ウイング部４３Ａと、包装シート７０と、第２ウイング部４３Ｂと、包装シート７０とがこの順序で積層されるように構成されている。
【００８１】
上記構成によれば、芳香領域８０を、ウイング部と包装シートとを交互に積層して覆うことができる。例えば、包装シートのみよって芳香領域を覆うと、包装シートの内側（芳香領域側）と外側（包装シートの外面側）との香り成分の濃度差が大きく、香り成分が放出され易くなることがある。しかし、包装シートの間に、ウイング部の不織布シートが配置されることにより、仮に香り成分が外側に放出された場合であっても、濃度勾配が緩和され、香り成分が放出され難くなる。
【００８２】
（第２の実施形態）
次いで、図７及び図８に基づいて、第２の実施形態に係る吸収性物品の包装体１０１について説明する。なお、以下の説明においては、第１の実施形態と同様の構成について、同符号を用いて説明を省略する。
【００８３】
第２の実施形態に係る吸収性物品の包装体１０１は、芳香領域８０が漢方薬材料を含むシート材によって構成されている。シート材は、少なくともパルプを含む吸収材料と漢方薬材料とを混合した混合材料と、シート材の表面シート側の面及びシート材の積層体側の面に配置された外装シートと、によって構成されている。なお、漢方薬材料は、具体的には、生薬である艾葉、当帰、香附子のうち、少なくとも１以上を使用することができ、天然物(植物など)を粉砕した粉、漢方成分を抽出した後乾燥した粉を用いることができる。
【００８４】
なお、漢方薬材料を含む芳香領域８０は、上記構成に限られず、種々の構成を採用することができる。例えば、外装シート等のシート材を備えずに、吸収体３０に漢方薬材料を混合することによって芳香領域８０を形成してもよいし、吸収シートの肌当接側の面に漢方薬材料を撒布して芳香領域８０を形成してもよい。
【００８５】
艾葉（ガイヨウ）の効能としては、身体を温め、食欲増進、胆汁分泌促進、止血作用があり、腹痛、胸やけ、下痢、便秘、鼻血、血尿、痔を挙げることができる。
当帰（トウキ）の効能としては、血色不良、冷え性、血行障害に対して補血、強壮、鎮痛薬として婦人病を挙げることができる。
香附子（コウブシ）の効能としては、通経、浄血、鎮痛、鎮静薬として月経不順、生理痛、更年期障害などの婦人病、慢性胃炎、十二指腸潰瘍、神経性胃炎を挙げることができる。
【００８６】
漢方薬材料と共に混合される吸収パルプは、吸収シート３１に用いられる吸収パルプと同様のものを使用することができる。吸収パルプの目付は、５０から７０ｇ／ｍ２が好ましい。
【００８７】
また、第２の実施形態に係る吸収性物品の包装体１０１は、第１方向は、幅方向Ｗであり、第２方向は、長手方向Ｌである。よって、図８（ａ）及び（ｂ）に示すように、幅方向Ｗに沿う第１幅折り目ＦＷ１及び第２幅折り目ＦＷ２を基点に折り畳まれた後、図８（ｃ）及び（ｄ）に示すように、長手方向Ｌに沿う第１長手折り目ＦＬ１及び第２長手折り目ＦＬ２を基点に折り畳まれるように構成されている。
【００８８】
包装シート７０の長手方向外側端部７０ｃ及び７０ｄは、第１幅折り目ＦＷ１及び第２幅折り目ＦＷ２を基点に折り畳まれた状態で積層されるように構成されている。よって、内部に収容した吸収性物品を密封状態に維持し易くなり、吸収性物品の包装体１０１の外部に香りが漏れて周囲に香りが移ったり、香りの効力が低減したりする不具合を抑制できる。
【００８９】
なお、本実施の形態の芳香領域８０は、長手方向において第１幅折り目ＦＷ１と第２幅折り目ＦＷ２との間であって、幅方向Ｗにおいて第１長手折り目ＦＬ１と第２長手折り目ＦＬ２との間に配置されているが、この構成に限られず、長手方向Ｌにおいて第１幅折り目ＦＷ１と第２幅折り目ＦＷ２との間であって、幅方向Ｗにおいて第１長手折り目ＦＬ１及び第２長手折り目ＦＬ２よりも幅方向外側に延出していてもよい。
【００９０】
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００９１】
例えば、第１の実施形態の芳香領域が漢方薬材料を含むシート材によって構成されていてもよいし、第２の実施形態の芳香領域が香料によって構成されていてもよい。更に、吸収性物品は、ウイング部を備えていない構成であってもよい。また、吸収性物品は、離型シートとしての本体シート及び／又はフラップシートを備えていなくてもよい。
【００９２】
本開示係る吸収性物品は、生理用ナプキン以外に、パンティライナー（おりものシート）、失禁パッド等であってもよい。本発明は、ここでは記載していない様々な実施形態などを含むことは勿論である。したがって、本発明の技術的範囲は、上述の説明から妥当な特許請求の範囲に係る発明特定事項によってのみ定められるものである。
【符号の説明】
【００９３】
１…吸収性物品
１０…表面シート
２０…裏面シート
２２…圧搾部
３０…吸収体
３１…吸収シート
３２…吸収コア
３２Ａ…下側吸収コア
３２Ｂ…上側吸収コア  
４１…サイドシード
４３…ウイングフラップ部
４４…ヒップフラップ部
５１…本体粘着領域
５２…フラップ粘着領域
６１…本体シート
６２…フラップシート
６５…本体接着領域
６６…フラップ接着領域
７０…包装シート
７０ａ、７０ｂ…包装シート幅方向外側端部
７０ｃ、７０ｄ…包装シート外側端部
７１…対向面
７２…非対向面
７５…粘着テープ
８０…芳香領域
９１…第１接合領域
９２…第１接合領域
１００、１０１…吸収性物品の包装体
ＦＬ１…第１長手折り目
ＦＬ２…第２長手折り目
ＦＷ１…第１幅折り目
ＦＷ２…第２幅折り目
Ｌ…長手方向
Ｔ…厚み方向
Ｗ…幅方向
【図１】
0005904841.tif 000002
【図２】
0005904841.tif 000003
【図３】
0005904841.tif 000004
【図４】
0005904841.tif 000005
【図５】
0005904841.tif 000006
【図６】
0005904841.tif 000007
【図７】
0005904841.tif 000008
【図８】
0005904841.tif 000009